(57)【要約】【解決手段】電気コネクタ組立体は、複数の端子リード線を収容するための複数の端子収容凹部を備えたハウジングを有する。該ハウジングは端子収容凹部に対応する複数の孔（あな）を備えた主シールであるマットシールと、主シールに隣接する副シールであるゲルシールとを有する。端子収容凹部と同様に並ぶ孔を有するカバーがハウジングに取付けられ、主及び副シールに圧縮力を加える。端子リード線は副シールを突抜け、カバーの孔に挿入され、主及び副シールを貫通し、端子収容凹部内に取外し可能に保持される。【選択図】図４
2010514091.tif 000002
【特許請求の範囲】
【請求項１】
電気コネクタ組立体であって、
複数の端子収容凹部を備えたハウジングと、
該ハウジングの端子収容凹部に収容された端子及びリード線を含む複数の端子リードと、
前記ハウジング内の前記端子収容凹部に対応する複数の孔を備えた主シールと、
前記ハウジング内に配置され、主シールに隣接する副シールと、
前記端子収容凹部に対応する孔を備え、前記ハウジングに取付けられ、前記主及び副シールに圧縮力を加えるカバーとを有し、
前記端子リードの各々が、前記カバーの前記孔に挿入され、前記主及び副シールを貫通し、前記端子収容凹部内に取外し可能に保持され、
前記端子リードが前記副シールを突抜ける電気コネクタ組立体。
【請求項２】
前記主シールはマットシールである、請求項１に記載の電気コネクタ組立体。
【請求項３】
前記副シールはゲルシールである、請求項２に記載の電気コネクタ組立体。
【請求項４】
前記主シールはシリコンマットシールであり、前記副シールはシリコンゲルシールである、請求項３に記載の電気コネクタ組立体。
【請求項５】
前記副シールは、前記主シールと前記カバーとの中間にある、請求項１又は４に記載の電気コネクタ組立体。
【請求項６】
前記主シールは、前記副シールと前記カバーとの中間にある、請求項１又は４に記載の電気コネクタ組立体。
【請求項７】
前記カバーを前記ハウジングに固定するロックを含む、請求項３に記載の電気コネクタ組立体。
【発明の詳細な説明】
【技術分野】
【０００１】
本発明は、一般に、電気コネクタ組立体に関し、より詳細には、封止構造を有する電気コネクタ組立体に関する。
【背景技術】
【０００２】
過酷な環境条件に曝（さら）される電気コネクタは、水分や埃（ほこり）の侵入を防ぐための封止構造を必要とする。一般に、これは、接合部シール及びワイヤシールを備えた電気コネクタ組立体を提供することによって達成される。
【０００３】
接合部シールは、一般に、コネクタの嵌（かん）合端に配置され、相手方コネクタと完全に嵌合されたときに電気コネクタが水分や埃で汚れるのを防ぐコネクタ間の気密シールを構成する。シールコネクタシステムのワイヤシール部分は、マットシール若しくはグロメット、又は、場合によってはゲルシールを備えている。
【０００４】
マットシールは、対応する電気端子リード用の複数の孔（あな）を有する平らな弾性パッドと、該弾性パッドを適所に保持するためのカバーとを具備する。ゲルシールは、コネクタ組立体の後側に配置され弾性材料で作成されたパッドを備え、ゲルシールを貫通させて端子リードを押込む必要がある。マットシールにカバーを被せることによって、シールが圧縮され、マットシールは、各端子リードのリード線とコネクタハウジングとの間に防水接合部を形成する。
【０００５】
このタイプの封止構造にはいくつかの欠点があり、すなわち、マットシールは、一般に、良好な密封性能を呈するが、高圧の噴射水及び水中でのワイヤの動きに弱い。さらに、マットシールは、コネクタの再結合（何回かの端子の抜差し）に弱い。この抜差しの際、金属端子は、マットシールの孔の内側面で摩耗しシール接合部を劣化させる。マットシールは、空洞を埋める盲栓を必要とし、これによりコストが高くなる。
【０００６】
同様に、ゲルシールと関連するいくつかの問題がある。ゲルシールは優れた密封性能を提供するが、コネクタの再結合（何回かの端子の抜差し）に弱い。ゲルシールは、ハーネスメーカーの検査装置を汚す。最後に、端子をシールに挿入する力が大きい。
【０００７】
密封された電気組立体を作成するための以上の技術では、構造のコストが高く、これらのタイプの封止構造を実際に使用するにはいくつかの欠点がある。
【発明の概要】
【発明が解決しようとする課題】
【０００８】
従来から知られている密封電気コネクタ組立体回路に固有の欠点を克服するために、過酷な環境で使用されるそのようなタイプのコネクタ組立体を作成するための低コストで製造が容易な方法が提供される。
【課題を解決するための手段】
【０００９】
この新規でかつ改良された密封電気コネクタ組立体は、シリコンマットシールの使用をシリコンゲルパッドと組合せる。この組合せは、複数の端子リードとそれらの端子リードが収容されるハウジングとの間に改良された封止接合部を提供する。
【００１０】
本発明の他の目的、特徴及び利点は、添付図面と関連して行われる以下の詳細な説明から明らかになる。
【００１１】
この詳細な説明では、添付図面をしばしば参照する。
【図面の簡単な説明】
【００１２】
【図１】従来の密封コネクタ組立体の断面図である。
【図２】従来の密封コネクタ組立体の断面図である。
【図３】従来の密封コネクタ組立体の断面図である。
【図４】本発明による密封コネクタ組立体の断面図である。
【発明を実施するための形態】
【００１３】
図面をより詳しく参照し、最初に図４を参照すると、本発明による封止構造は、電気コネクタ組立体１０内で実施される。電気コネクタ組立体は、絶縁性主ハウジング２０、複数の端子リード（図示せず）、主シール３０、副シール４０及び絶縁性カバー５０を備える。
【００１４】
図４は、電気コネクタ組立体１０の構造を最もよく示す。電気コネクタ組立体１０は、相手方電気コネクタと嵌合するための嵌合端と後端とを有する絶縁性ハウジング２０を備える。主ハウジング２０は、さらに、端子リードを取外し可能に収容する複数の端子収容凹部を有する。
【００１５】
端子リードを挿入する前に、主シール３０が、主ハウジング２０の後端に配置される。主シールであるマットシール３０は、１対の対向面を備える平坦（たん）な本体部を有する弾性パッドから成る。主シール３０は、さらに、端子リードに対応し、かつ、端子収容凹部のパターンに固有の複数の孔を有する。主シール３０の縁面は、主ハウジング２０の内側面と合致する。このマットシールは、封止システムに強さを提供し、何回かの端子の抜差しに耐えることができ、端子挿入力を小さくすることができる。
【００１６】
主シール３０が主ハウジング２０に取付けられた後で、副シールであるゲルシール４０が主ハウジング内に入れられる。副シール４０は、類似の対向面を有するシリコンゲルから成る。主シール３０及び副シール４０は、主シール３０及び副シール４０の隣接する対向面がそれぞれ互いに当接するように位置決めされる。副シール４０の周囲は、主シール３０と同じであり、その結果、これらのシールは両方とも内側ハウジング面と合致する。副シール４０は、何も孔がなく、したがって、更なる位置合せは不要である。このゲルシールは、すべての孔を閉じる働きをし、端子を挿入する際の端子の動きを滑らかにし、必要とされる挿入力を減少させ、盲栓を使用することなく空コネクタを完全に封止し、マットシールを高圧の水から保護する。
【００１７】
シール３０、４０がハウジング２０内に配置された後で、カバー５０がハウジングに取付けられる。ハウジング２０及びカバー５０は、ハウジング２０とカバー５０とを互いに係止する協働的ロック構造を有する。カバー５０は、主ハウジング２０内の凹部位置に対応する複数の孔を有する。孔は、端子リードの端子部分が孔を通ることができるように形成される。
【００１８】
カバー５０がハウジング２０に取付けられた後で、個々の端子リードがカバー５０の孔を通して挿入され、その結果、副シールであるゲルシール４０を突刺し、副シール４０及び主シールであるマットシール３０の孔を通り、最終的に、ハウジング２０内のそれぞれの端子収容凹部内にロックされる。
【００１９】
カバー５０と、シール３０、４０とは、カバー５０が取付けられたときにカバー５０がシール３０、４０に圧縮力を加え、それによりシール３０、４０が効果的に広がり、ハウジング２０と、主及び副シール３０、４０の両方を通る端子リードの各ワイヤ部分との両方に封止力を加える。
【００２０】
本発明をその精神又は中心的特徴から逸脱することなく他の特定の形態で実施することができることを理解されよう。したがって、上記の実施例及び実施形態は、すべての点において例示的であり限定的でないと考えるべきであり、本発明は、本明細書に示した詳細に限定されない。
【図１】
2010514091.tif 000003
【図２】
2010514091.tif 000004
【図３】
2010514091.tif 000005
【図４】
2010514091.tif 000006
【国際調査報告】
2010514091.tif 000007
2010514091.tif 000008